(57)【要約】      （修正有）【課題】集草器が取り付けられた状態及び取り外された状態のいずれでも、芝排出口を適切に閉鎖することができる芝刈機の芝排出口カバーとそれを備えた芝刈機を提供する。【解決手段】芝刈機本体２の上面の固定部からこの芝刈機本体２の芝排出口１５に向けて延びるカバー本体を備え、カバー本体は、芝排出口１５を閉鎖するカバー部と、カバー部を芝排出口１５の閉鎖状態と開放状態とに回動可能なように固定部に支持する支持部と、カバー部を開放状態のときに芝刈機本体２に保持する磁石２７とを有している。【選択図】図１
0003197780.tif 000002
【実用新案登録請求の範囲】
【請求項１】
芝刈機の芝排出口を閉鎖する芝排出口カバーであって、
芝刈機本体の上面の固定部から該芝刈機本体の芝排出口に向けて延びるカバー本体を備え、
前記カバー本体は、前記芝排出口を閉鎖するカバー部と、前記カバー部を前記芝排出口の閉鎖状態と開放状態とに回動可能なように前記固定部に支持する支持部と、前記カバー部を開放状態のときに前記芝刈機本体に保持する磁石と、を有している、ことを特徴とする芝刈機の芝排出口カバー。
【請求項２】
前記磁石は、前記カバー部の左右方向中央部に備えられ、
前記カバー部の前記支持部と反対側に、前記磁石に近接して開口部を有している、請求項１に記載の芝刈機の芝排出口カバー。
【請求項３】
前記開口部には、裏面側の所定深さの位置にガイド部材が設けられている、請求項２に記載の芝刈機の芝排出口カバー。
【請求項４】
前記カバー部は、開放状態のときに前記支持部と反対側端部が上向きに反るように湾曲形成されている、請求項１〜３のいずれか１項に記載の芝刈機の芝排出口カバー。
【請求項５】
前記支持部は、前記固定部にヒンジ構造で連結されている、請求項１〜４のいずれか１項に記載の芝刈機の芝排出口カバー。
【請求項６】
請求項１〜５のいずれか１項に記載の芝刈機の芝排出口カバーを備えた芝刈機であって、
芝刈機本体内に、左右方向に延びるリール刃を備え、
前記芝排出口カバーは、前記芝排出口における前記リール刃の左右方向範囲を覆う大きさに形成されている、ことを特徴とする芝刈機。
【考案の詳細な説明】
【技術分野】
【０００１】
本考案は、家庭や校庭、公園等の芝生を刈る芝刈機の芝排出口カバーとそれを備えた芝刈機に関する。
【背景技術】
【０００２】
従来、家庭や校庭、公園等の芝生を刈るために、芝刈機本体に配置された左右方向に延びる回転軸の周りで回転する回転刃と、この回転刃と接するように芝刈機本体に設けられた固定刃との間で芝生を刈る芝刈機が用いられている。この芝刈機はリール式芝刈機とも呼ばれ、芝刈機本体の両側部に設けられた車輪の回転力でリール刃（回転刃）を回転させ、固定刃との間で芝生を刈るように構成されている。
【０００３】
この種の先行技術として、例えば、歩行型の動力芝刈機において、刈った芝を集草器に向けて放出する芝放出口を有し、集草器を取り外すと巻ばねで下降回動するように付勢したカバー体で芝放出口を閉鎖するものがある（例えば、特許文献１参照）。
【先行技術文献】
【特許文献】
【０００４】
【特許文献１】特開平８−２０５６５１号公報
【考案の概要】
【考案が解決しようとする課題】
【０００５】
しかし、歩行型の芝刈機でも、上記したようなリール式芝刈機には、芝排出口に上記した先行技術のように、芝排出口を閉鎖するカバー体を設けたものがない。また、リール式芝刈機の場合、集草器の上部が開放しており、芝排出口の前方が開口した状態となっている。
【０００６】
そのため、作業時や保管時等にこの開口部を塞いでおきたい、という要望がある。また、集草器を取り外した保管状態でも、芝排出口の開口を塞いでおきたい、という要望もある。
【０００７】
そこで、本考案は、集草器が取り付けられた状態及び取り外された状態のいずれでも、芝排出口を適切に閉鎖することができる芝排出口カバーとそれを備えた芝刈機を提供することを目的とする。
【課題を解決するための手段】
【０００８】
上記目的を達成するために、本考案に係る芝刈機の芝排出口カバーは、芝刈機の芝排出口を閉鎖する芝排出口カバーであって、芝刈機本体の上面の固定部から該芝刈機本体の芝排出口に向けて延びるカバー本体を備え、前記カバー本体は、前記芝排出口を閉鎖するカバー部と、前記カバー部を前記芝排出口の閉鎖状態と開放状態とに回動可能なように前記固定部に支持する支持部と、前記カバー部を開放状態のときに前記芝刈機本体に保持する磁石と、を有している、ことを特徴とする。この明細書及び実用新案登録請求の範囲の書類中における「閉鎖」は、外部から不用意に棒材等の異物が入らない程度にカバーすることをいう。
【０００９】
この構成により、芝刈機本体の上面の固定部に支持部で支持したカバー本体を、カバー部で芝排出口を閉鎖した状態と、芝排出口を開放した状態とにすることが容易にでき、カバー部を開放した状態では、磁石で開放状態を保つことができる。しかも、集草器が取り付けられた状態及び取り外された状態のいずれでも、芝排出口を適切に閉鎖することができる。
【００１０】
また、前記磁石は、前記カバー部の左右方向中央部に備えられ、前記カバー部の前記支持部と反対側に、前記磁石に近接して開口部を有していてもよい。このように構成すれば、磁石の近接位置に設けられた開口部を持ってカバー部を容易に開閉することができる。
【００１１】
また、前記開口部には、裏面側の所定深さの位置にガイド部材が設けられていてもよい。このように構成すれば、開口部に引っ掛ける指がガイド部材までしか入らないようにできる。
【００１２】
また、前記カバー部は、開放状態のときに前記支持部と反対側端部が上向きに反るように湾曲形成されていてもよい。このように構成すれば、芝排出口を開放して芝刈機本体に保持したカバー本体は、端部の反り上がった部分を持って容易に閉鎖することができる。
【００１３】
また、前記支持部は、前記固定部にヒンジ構造で連結されていてもよい。このように構成すれば、カバー本体の先端部をヒンジ構造でスムーズに回動させることができ、カバー部のスムーズな開閉動作を長期間安定して保つことができる。
【００１４】
また、本考案に係る芝刈機は、前記いずれかの芝刈機の芝排出口カバーを備えた芝刈機であって、芝刈機本体内に、左右方向に延びるリール刃を備え、前記芝排出口カバーは、前記芝排出口における前記リール刃の左右方向範囲を覆う大きさに形成されていることを特徴とする。
【００１５】
この構成により、リール刃を備えた芝刈機において、集草器が取り付けられた状態及び取り外された状態のいずれでも、不使用時には芝排出口カバーによってリール刃の範囲で芝排出口を適切に閉鎖することができる。しかも、使用時にはカバー部の開放状態を磁石で保つことができる。
【考案の効果】
【００１６】
本考案によれば、芝刈機本体の芝排出口をカバー部で閉鎖又は開放することが容易に可能となる。また、カバー部を開放した状態を磁石で保つことができる。しかも、集草器が取り付けられた状態及び取り外された状態のいずれでも、芝排出口をカバー部で適切に閉鎖することが可能となる。
【図面の簡単な説明】
【００１７】
【図１】図１は、本考案の一実施形態に係る芝排出口カバーを備えた芝刈機の斜視図である。
【図２】図２は、図１に示す芝排出口カバーを上方から見た斜視図である。
【図３】図３は、図２に示す芝排出口カバーの左側面図である。
【図４】図４は、図１に示す芝刈機の芝排出口カバーを閉鎖した状態を示す斜視図である。
【図５】図５は、図４に示す芝刈機の収納状態の一例を示す斜視図である。
【考案を実施するための形態】
【００１８】
以下、本考案の一実施形態を図面に基づいて説明する。この実施形態では、リール刃を有する芝刈機を例に説明する。この明細書及び実用新案登録請求の範囲の書類中における前後左右方向の概念は、図１に示すように芝刈機１を操作する状態における前後左右方向の概念と一致するものとする。
【００１９】
図１に示すように、芝刈機１には、芝刈機本体２の両側部にタイヤ３が設けられている。タイヤ３は、芝刈機本体２に回転可能な状態で支持されている。芝刈機本体２には、左右方向に延びる回転軸５が設けられており、上記タイヤ３が回転することで回転軸５が回転させられる。この回転軸５には周囲にリール刃６が設けられており、このリール刃６は回転軸５と一体的に回転するようになっている。リール刃６は、回転軸５に設けられた複数の固定板８の周囲に、所定の方向にねじられた複数の刃材７が固定されたものである。また、芝刈機本体２には、前部に集草器９が設けられ、後部には上方に延びるハンドル１０が設けられている。この実施形態のハンドル１０は、ボルト・ナット１０ａで容易に分割できるようになっている。
【００２０】
さらに、芝刈機本体２の後部には、後方に向けて昇降アーム１１が設けられており、この昇降アーム１１の後部に後部ローラ１２が設けられている。後部ローラ１２は、芝刈機本体２の後部に設けられた刈高さ調整機構（図示略）によって昇降アーム１１と一体的に揺動させて高さを変更することで、芝の刈り高さを変更することができる。
【００２１】
そして、上記芝刈機本体２の上部に、芝排出口１５を閉鎖する芝排出口カバー２０が設けられている。図１では、この芝排出口カバー２０を開放した状態を示している。
【００２２】
図２，３に示すように、この実施形態の芝排出口カバー２０は、上記芝刈機本体２の上面に固定する固定部２１と、固定部２１から芝刈機本体２の芝排出口１５を閉鎖するように延びるカバー本体２３とを有している。この固定部２１は、芝刈機本体２の上板に、ビス２２によって固定される。固定部２１は、芝刈機本体２に設けられたものでもよい。
【００２３】
上記カバー本体２３は、芝排出口１５を閉鎖するカバー部２４と、このカバー部２４を芝排出口１５の閉鎖状態と開放状態とに回動可能なように、上記固定部２１に支持する支持部２５とを有している。この実施形態では、カバー部２４の左右両端部に支持部２５が設けられている。カバー部２４は、側面視において、表面が突出するような湾曲形状に形成されており、開放状態（図１の状態）のときに上記支持部２５と反対側端部が上向きに反るように湾曲形成されている。また、カバー本体２３は、芝刈機本体２の上板１３（図４）と前板１４（図５）との間に設けられた芝排出口１５を閉鎖する大きさに形成されている。この例では、上記リール刃６（図１）の左右方向範囲を覆う大きさに形成されている。
【００２４】
また、上記支持部２５は、上記固定部２１に対して回動可能に支持するヒンジ構造２６で連結されている。この実施形態では、カバー部２４の端部に一体形成された支持部２５を固定部２１に嵌め込んだヒンジ構造２６としているが、支持部２５をボルト等で固定部２１に支持するような構造でもよい。このように、カバー本体２３は、ヒンジ構造２６で支持部２５が固定部２１に支持されているので、この支持部２５を中心に回動可能となっている。
【００２５】
さらに、この実施形態では、これらカバー部２４と支持部２５が樹脂成形品で一体的に構成されている。カバー部２４を樹脂成形品とすることで軽量化を図ることができる。このカバー部２４は、アルミニウムなどで形成してもよく、材質は限定されるものではない。なお、この実施形態では、左側に位置する固定部２１に、上記ハンドル１０の下部を係止する係止部材３０が設けられている。係止部材３０は、無い場合もある。
【００２６】
また、この実施形態のカバー本体２３には、左右方向中央部の、支持部２５から離れた位置に磁石２７が設けられている。この磁石２７は、カバー部２４を開放した状態（図１）で芝刈機本体２の上板１３に磁力で吸着されるように設けられている。この磁石２７により、カバー部２４を開放したときに上板１３に吸着させて保持することができる。これにより、作業時にカバー部２４の開放状態を保つことができる。
【００２７】
さらに、カバー部２４の磁石２７と近接した位置には、開口部２８が設けられている。この開口部２８は、カバー本体２３の支持部２５が設けられた側と反対側の辺に近い位置で、上記磁石２７の近接位置に設けられている。開口部２８としては、利用者の指を１本引っ掛ける程度の孔や凹みなどでよい。この実施形態では、開口部２８の裏面側における所定深さの位置にガイド部材３１が設けられている。ガイド部材３１を設けることで、利用者の指がガイド部材３１までしか入らないようにしている。この開口部２８は、カバー部２４を開閉するときに指を引っ掛けることができればよい。開口部２８を設けることで、開放時に上板１３に吸着しているカバー部２４の磁石２７の近傍を持って吸着状態を解消し、閉じることができる。
【００２８】
なお、この実施形態では、カバー部２４の左端（図２に向かって右端）に凹状部分２９が設けられているが、この凹状部分２９は開放時に係止部材３０と当接しないようにする部分であり、必要に応じて設ければよい。
【００２９】
図４は、上記図１の芝刈機１において、芝排出口カバー２０を閉鎖した状態を示す斜視図である。なお、上記図１で説明した構成には、同一符号を付して、その構成の説明は省略する。
【００３０】
図１に示す状態の芝排出口カバー２０を閉鎖する場合、カバー部２４の開口部２８に指を引っ掛けて、磁石２７による吸着状態を解除して芝刈機本体２の上板１３から芝排出口１５（図１）に向けて回動させることで、芝排出口１５を閉鎖した状態にできる。芝排出口１５を芝排出口カバー２０で閉鎖した状態では、芝刈機本体２内のリール刃６が芝排出口１５から見えないようにカバー部２４で閉鎖された状態となる。そのため、芝排出口１５からリール刃６に向かって誤って棒状の異物等が入ることを防止し、リール刃６が傷付けられることを防止できる。
【００３１】
図５は、上記芝刈機１の使用状態から集草器９とハンドル１０の一部を取り外して収納した状態を示している。例えば、長期間使用しない場合など、このようにコンパクトに収納する場合がある。なお、上記図１で説明した構成には、同一符号を付して、その構成の説明は省略する。
【００３２】
このような収納状態でも、芝刈機本体２に設けられた芝排出口カバー２０のカバー部２４を芝排出口１５に向けて回動させて、芝排出口１５を閉鎖した状態とすることができる。このように芝排出口１５をカバー部２４で閉鎖することにより、長期間の収納時に他の器具などが芝排出口１５の部分に倒れたりしても、リール刃６を傷付けることなくガードすることができる。
【００３３】
なお、上記した実施形態では、リール刃６を有する芝刈機を例に説明したが、芝排出口１５が同様の構成の芝刈機であれば適用でき、芝刈機は上記実施形態に限定されるものではない。
【００３４】
また、上記した実施形態は一例を示しており、本考案の要旨を損なわない範囲での種々の変更は可能であり、本考案は上記した実施形態に限定されるものではない。
【符号の説明】
【００３５】
１  芝刈機
２  芝刈機本体
５  回転軸
６  リール刃
９  集草器
１０  ハンドル
１３  上板
１４  前板
１５  芝排出口
２０  芝排出口カバー
２１  固定部
２３  カバー本体
２４  カバー部
２５  支持部
２６  ヒンジ構造
２７  磁石
２８  開口部
３１  ガイド部材
【図１】
0003197780.tif 000003
【図２】
0003197780.tif 000004
【図３】
0003197780.tif 000005
【図４】
0003197780.tif 000006
【図５】
0003197780.tif 000007